(57)【要約】【課題】  入金時における従来からのセキュリティ重視の思想を踏襲しつつ、顧客利便性のために紙幣を連続投入できる現金入出金機を提供する。【解決手段】  本発明の現金入出金機は、外部から投入された紙幣を受け入れる紙幣入金部と、前記紙幣入金部に投入された前記紙幣を搬送部に繰り出す繰出し機構とを備えた現金処理装置において、前記繰出し機構に対向配置され当該繰出し機構に前記紙幣を押し付けることにより、前記繰出し機構から前記紙幣への押圧力を発生させるビルプレスと、予め設定された入金設定情報を参照し、前記入金設定情報が、ビルプレス押圧モードの場合には前記ビルプレスを前記繰出し機構に前記紙幣を押し付ける状態に移行し、一方、ビルプレス退避モードの場合には、所定箇所に前記ビルプレスを退避させる制御を行う制御部とを備えることを特徴とする。【選択図】      図１
2018132872.tif 000002
【特許請求の範囲】
【請求項１】
外部から投入された紙幣を受け入れる紙幣入金部と、前記紙幣入金部に投入された前記紙幣を搬送部に繰り出す繰出し機構とを備えた現金処理装置において、
前記繰出し機構に対向配置され当該繰出し機構に前記紙幣を押し付けることにより、前記繰出し機構から前記紙幣への押圧力を発生させるビルプレスと、
予め設定された入金設定情報を参照し、前記入金設定情報が、ビルプレス押圧モードの場合には前記ビルプレスを前記繰出し機構に前記紙幣を押し付ける状態に移行し、一方、ビルプレス退避モードの場合には、所定箇所に前記ビルプレスを退避させる制御を行う制御部と
を備えることを特徴とする現金処理装置。
【請求項２】
搬送された前記紙幣の鑑別を行う鑑別部と、前記紙幣を収納する紙幣収納カセットとをさらに備え、
前記制御部は、ビルプレス退避モードの場合において、前記鑑別部により鑑別された前記紙幣が入金可能な前記紙幣と判定された場合には、前記紙幣を前記紙幣収納カセットに収納する制御を行う
ことを特徴とする請求項１に記載の現金処理装置。
【請求項３】
紙幣出金口に設けられたシャッタと、搬送部から繰り出された出金紙幣の飛び出しを防止して、前記出金紙幣を集積させる出金紙幣飛び出し防止部とを有する紙幣出金部をさらに備え、
前記制御部は、ビルプレス退避モードの場合において、前記鑑別部により投入された前記紙幣が入金不可能な前記出金紙幣と判定された場合には、前記シャッタを開けて、前記紙幣出金部に前記出金紙幣を搬送して集積させる制御を行う
ことを特徴とする請求項２に記載の現金処理装置。
【発明の詳細な説明】
【技術分野】
【０００１】
本発明は、現金処理装置に関し、例えば、金融機関の営業店に設置され、顧客が操作する現金入出金機に適用し得るものである。
【背景技術】
【０００２】
金融機関の営業店に設置される現金入出金機（現金処理装置）は、紙幣の入金取引、現金計数等に利用される。従来の現金入出金機の紙幣投入口は、セキュリティが重視され、紙幣のつまみ出しができないよう、紙幣を挟み込むような機構となっている（特許文献１参照）。
【０００３】
ところで、近年、紙幣を大量に持ち込む顧客が増えてきたため、紙幣投入口が紙幣計数機のように連続投入できる機構が求められてきている。
【先行技術文献】
【特許文献】
【０００４】
【特許文献１】特開２０１６−０２４６２８号公報
【発明の概要】
【発明が解決しようとする課題】
【０００５】
しかしながら、紙幣の連続投入が可能な機構の現金入出金機を実現する上で以下のような課題が存在する。
【０００６】
現金入出金機（紙幣投入口）のセキュリティ重視の判断は、通常、金融機関の営業店のセキュリティ責任者に一任される。ただし、現金入出金機のセキュリティについては、その性質上、警察当局の意向が反映されることが多く、また、国や地方が異なればセキュリティに対する考え方も異なるものとなる。
【０００７】
そのため、警察当局の意向により、セキュリティ重視の判断が下されると、その金融機関の営業店では、連続投入が可能な機構を有する現金入出金機が設置できないことになってしまう。
【０００８】
また、連続投入可能な機構を有する現金入出金機を設置したとしても、警察当局の判断が変化した場合、セキュリティ重視型の現金入出金機に設置し直さなければならなくなる。
【０００９】
そのため、入金時における従来からのセキュリティ重視の思想を踏襲しつつ、顧客利便性のために紙幣を連続投入できる現金入出金機が望まれている。
【課題を解決するための手段】
【００１０】
本発明は、外部から投入された紙幣を受け入れる紙幣入金部と、前記紙幣入金部に投入された前記紙幣を搬送部に繰り出す繰出し機構とを備えた現金処理装置において、（１）前記繰出し機構に対向配置され当該繰出し機構に前記紙幣を押し付けることにより、前記繰出し機構から前記紙幣への押圧力を発生させるビルプレスと、（２）予め設定された入金設定情報を参照し、前記入金設定情報が、ビルプレス押圧モードの場合には前記ビルプレスを前記繰出し機構に前記紙幣を押し付ける状態に移行し、一方、ビルプレス退避モードの場合には、所定箇所に前記ビルプレスを退避させる制御を行う制御部とを備えることを特徴とする。
【発明の効果】
【００１１】
本発明によれば、入金時における従来からのセキュリティ重視の思想を踏襲しつつ、顧客利便性のために紙幣を連続投入できる。
【図面の簡単な説明】
【００１２】
【図１】実施形態に係る現金入出金機の機能的構成を示すブロック図である。
【図２】実施形態に係る現金入出金機の内部構成を示す図である。
【図３】実施形態に係る入金部の詳細な構成を示す図である。
【図４】実施形態に係る出金部の詳細な構成を示す図である。
【図５】実施形態に係る現金入出金機の入金動作（セキュリティ重視）を示すフローチャートである。
【図６】実施形態に係る現金入出金機の入金動作（紙幣連続投入）を示すフローチャートである。
【図７】実施形態に係る現金入出金機の入金動作（紙幣連続投入の際にリジェクト紙幣が発生した場合の動作）を示すフローチャートである。
【発明を実施するための形態】
【００１３】
（Ａ）主たる実施形態
以下、本発明に係る現金処理装置の実施形態を、図面を参照しながら詳述する。この実施形態では、本発明の現金処理装置を現金入出金機に適用した例について説明する。
【００１４】
（Ａ−１）実施形態の構成
（Ａ−１−１）現金入出金機の全体構成
図１は、実施形態に係る現金入出金機の機能的構成を示すブロック図である。また、図２は、実施形態に係る現金入出金機の内部構成の概略を示す図である。なお、この実施形態では、現金入出金機１は紙幣のみを取り扱う例を示すが、紙幣と共に、硬貨を取り扱っても良い。
【００１５】
図１において、現金入出金機は、制御部１０、記憶部２０、操作表示制御部３０、入金部４０、出金部５０、鑑別部６０、エスクロ部７０、リジェクトカセット８０、及び紙幣カセット９０（９０−１〜９０−４）を有する。
【００１６】
制御部１０は、図示しないＣＰＵ（Ｃｅｎｔｒａｌ  Ｐｒｏｃｅｓｓｉｎｇ  Ｕｎｉｔ）を中心に構成されており、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、記憶部２０から所定のプログラムを読み出して実行することにより、各部を制御して入金取引、収納処理や出金取引等の種々の処理を行う。
【００１７】
記憶部２０は、制御部１０が実行する処理プログラム等を記憶するものあり、例えば、フラッシュメモリやＨＤＤ等により構成される。
【００１８】
操作表示制御部３０は、制御部１０の制御の下、図示しない操作パネルの動作を制御するものである。
【００１９】
入金部４０は、顧客から投入（入金）された紙幣を処理する機能部である。入金部４０の詳細については後述する。
【００２０】
出金部５０（５０−１、５０−２）は、顧客に返却（出金）する紙幣を処理する機能部である。出金部５０の詳細については後述する。なお、この実施形態では、出金部５０を２個有する例を示したが、出金部５０の数はこれに限定されるものでは無く、例えば、１個でも良い。
【００２１】
鑑別部６０は、搬送された紙幣の金種、真偽、正損、走行状態等を基に、取扱うことのできる正常紙幣であるか、使用すべきでない紙幣であるために取扱うことのできないリジェクト紙幣であるかを鑑別して、その鑑別結果を制御部１０へ送出する機能等を有している。
【００２２】
エスクロ部７０は、鑑別部６０で鑑別された紙幣を内部に一時的に保留し、また保留している紙幣を１枚ずつ送出する機能を有している。
【００２３】
リジェクトカセット８０は、搬送されてくるリジェクト紙幣を内部に集積して収納するように構成されている。
【００２４】
紙幣カセット９０（９０−１〜９０−４）は、それぞれ内部に予め設定された金種の紙幣を集積した状態で収納するように構成されている。
【００２５】
図２において、搬送部１００は、紙幣を鑑別部６０等の各部に搬送する機能を有し、例えば、ローラやベルト等により構成されるものである。
【００２６】
（Ａ−１−２）入金部の詳細な構成
図３は、実施形態に係る入金部の詳細な構成を示す図である。
【００２７】
入金部４０にはシャッタ等の閉鎖装置が設けられておらず、入金部４０の開口は現金入出金機１の外部に開放されている。入金部４０は、開口に顧客が投入した紙幣を１枚ずつ分離して現金入出金機１内へ順次繰出す繰出し機構４２、紙幣の繰出時に、投入された紙幣を後面側に配置された繰出し機構４２に押付けて紙幣のはみ出しを防止するビルプレス４１が設けられている。
【００２８】
ビルプレス４１は、後述するビルプレス制御部１３の制御により紙幣押えとしての機能を発揮する状態（図３（Ａ））と、ビルプレス４１を退避させて顧客が紙幣を連続投入可能な状態（図３（Ｂ））となる２種類の状態をとる。なお、ビルプレス４１の状態を変化させる機構については限定されるものではなく、例えば、ローラの駆動力により、ビルプレス４１を上昇（又は降下）させも良い。ビルプレス４１を制御する例については、後述する。
【００２９】
（Ａ−１−３）出金部の詳細な構成
図４は、実施形態に係る出金部の詳細な構成を示す図である。
【００３０】
出金部５０にはシャッタ５１が設けられており、シャッタ５１の開閉により顧客との間で紙幣の受け渡しを行う。なお、図４（Ａ）はシャッタ５１が閉じた状態を示しており、図４（Ｂ）はシャッタ５１が開かれた状態を示している。出金部５０には、現金入出金機１内から順次繰出された出金紙幣が集積されるが、繰り出された紙幣の飛び出しを防止するために出金紙幣飛び出し防止押え部５２が設けられている。出金紙幣飛び出し防止押え部５２の材質は、限定されるものでないが、例えば、プラスチック等の材質を用いた透明板を適用することができる。
【００３１】
（Ａ−１−４）制御部１０の詳細な構成
制御部１０は、アプリケーション１１、ビルプレス制御ＡＰＩ１２、及びビルプレス制御部１３を有する。
【００３２】
アプリケーション１１は、入金取引の処理を行う機能を有する。また、アプリケーション１１は、内部に設定された設定情報（ビルプレス４１で紙幣を把持する状態か、ビルプレス４１を退避する状態かを設定する情報）を読み取り、ビルプレス制御ＡＰＩ１２を介して、ビルプレス４１の状態を変化させる。なお、ビルプレスの設定情報は、例えば、現金入出金機１を管理する管理者が、操作パネル（図示せず）の操作することにより、設定する（記憶部２０に記憶する）。ビルプレス４１で紙幣を把持する状態は、言い換えれば、紙幣のはみ出しを防止した「セキュリティ重視モード」である。また、ビルプレス４１を退避させた状態は、言い換えれば、顧客により紙幣の連続入金（投入）可能な「紙幣連続入金モード」である。このセキュリティ重視モード及び紙幣連続入金モードにおける入金時の詳しい動作については後述する動作の項で述べる。
【００３３】
ビルプレス制御ＡＰＩ１２は、アプリケーション１１がビルプレス４１を制御するためのＡＰＩ（Ａｐｐｌｉｃａｔｉｏｎ  Ｐｒｏｇｒａｍｍｉｎｇ  Ｉｎｔｅｒｆａｃｅ）である。
【００３４】
ビルプレス制御部１３は、アプリケーション１１（ビルプレス制御ＡＰＩ１２）からの指示により、ビルプレス４１の形態を変化させる制御部である。
【００３５】
（Ａ−２）実施形態の動作
次に、以上のような構成を有する実施形態に係る現金入出金機１の動作を説明する。
【００３６】
（Ａ−２−１）現金入出金機１の入金動作（セキュリティ重視モード）
図５は、実施形態に係る現金入出金機の入金動作（セキュリティ重視）を示すフローチャートである。なお、現金入出金機１には、顧客の入金時において、セキュリティを重視する設定（ビルプレス４１で紙幣を把持する状態にする設定）が予め設定（記憶部２０に記憶）されているものとする。また、現金入出金機１に入金（投入）される紙幣にはリジェクト紙幣は存在しないものとする。
【００３７】
制御部１０（アプリケーション１１）は、記憶部２０に記憶されている入金動作時の設定を読み取り、ビルプレス制御ＡＰＩ１２を用いて、ビルプレス４１で紙幣を把持する状態に変化させるよう指示する（Ｓ１０１）。そして、ビルプレス制御部１３は、ビルプレス制御ＡＰＩ１２の指示を受けて、ビルプレス４１を降下させる（先述の図３（Ａ）の状態に変化させる）。このステップＳ１０１の処理が実行されるタイミングは、顧客が入金取引を行う前であれば、限定されないものであるが、例えば、現金入出金機１が新たに金融機関の営業店に設置されたタイミングである。
【００３８】
制御部１０は、顧客によりビルプレス４１が持ち上げられながら、所定枚数の紙幣が入金部４０に投入され、入金取引の開始を受け付けたものとする（Ｓ１０２）。
【００３９】
制御部１０は、入金部４０から紙幣を１枚ずつ分離して、鑑別部６０に搬送し、鑑別（計数）処理を実行するよう制御する（Ｓ１０３）。
【００４０】
制御部１０は、ステップＳ１０３の処理において、投入紙幣が入金可能と判定された場合には、投入紙幣をエスクロ部７０へ搬送するよう制御する（Ｓ１０４）。
【００４１】
制御部１０は、例えば、図示しない操作パネルを介した顧客の指示により入金を受け付け、エスクロ部７０に一時保留した紙幣を紙幣カセット９０に収納するよう制御する（Ｓ１０５）。
【００４２】
（Ａ−２−２）現金入出金機１の入金動作（紙幣連続入金モード）
図６は、実施形態に係る現金入出金機の入金動作（紙幣連続投入）を示すフローチャートである。なお、現金入出金機１には、顧客の入金時において、紙幣を連続投入可能な設定（ビルプレス４１を退避する状態にする設定）が予め設定（記憶部２０に記憶）されているものとする。また、現金入出金機１に入金（投入）される紙幣にはリジェクト紙幣は存在しないものとする。
【００４３】
制御部１０（アプリケーション１１）は、記憶部２０に記憶されている入金動作時の設定を読み取り、ビルプレス制御ＡＰＩ１２を用いて、ビルプレス４１を退避させる状態に変化させるよう指示する（Ｓ２０１）。そして、ビルプレス制御部１３は、ビルプレス制御ＡＰＩ１２の指示を受けて、ビルプレス４１を退避させる（先述の図３（Ｂ）の状態に変化させる）。このステップＳ２０１の処理が実行されるタイミングは、顧客が入金取引を行う前であれば、限定されないものであるが、例えば、現金入出金機１が新たに金融機関の営業店に設置されたタイミングである。
【００４４】
制御部１０は、顧客により、所定枚数の紙幣が入金部４０に投入され、入金取引の開始を受け付けたものとする（Ｓ２０２）。
【００４５】
制御部１０は、入金部４０から紙幣を１枚ずつ分離して、鑑別部６０に搬送し、鑑別（計数）処理を実行するよう制御する（Ｓ２０３）。
【００４６】
制御部１０は、ステップＳ２０３の処理において、投入紙幣が入金可能と判定された場合には、投入紙幣を紙幣カセット９０へ搬送するよう制御する（Ｓ２０４）。
【００４７】
上記のステップＳ２０２〜Ｓ２０４の処理は、顧客により入金部４０に紙幣が連続的に投入されている間は実行され、最終的に投入する紙幣が存在しなくなった場合に終了する。また、入金処理を終了させるタイミングは、例えば、図示しない操作パネルにより入金終了の指示をすることにより終了させても良いし、最後の紙幣の投入から所定時間経過後に自動的に終了しても良い。
【００４８】
次に、紙幣連続入金モードにおいて、入金（投入）紙幣に、リジェクト紙幣が存在していた場合の現金入出金機１の処理について説明を行う。
【００４９】
図７は、実施形態に係る現金入出金機の入金動作（紙幣連続投入の際にリジェクト紙幣が発生した場合の動作）を示すフローチャートである。図７において、ステップＳ３０１〜ステップＳ３０３の処理は、先述のステップＳ２０１〜Ｓ２０３と同様であるので、以下では異なる処理であるステップＳ３０４から説明を行う。
【００５０】
制御部１０は、ステップＳ３０３の処理において、投入紙幣が入金不可能な紙幣と判定された場合（投入紙幣がリジェクト紙幣だった場合）には、出金部５０のシャッタ５１を開けて、リジェクト紙幣を出金部５０へ搬送するよう制御する（Ｓ３０４）。出金部５０に搬送された紙幣は、出金紙幣飛び出し防止押え部５２により所定箇所に集積される。顧客が集積された紙幣を再度投入する場合には、集積箇所から紙幣を取り出して、再度入金部４０に紙幣を投入することになる。
【００５１】
以下のステップＳ３０５〜Ｓ３０７の処理は、紙幣が入金取引可能な紙幣と判定された動作である先述のステップ２０２〜Ｓ２０４と同様の処理であるので、説明を省略する。
【００５２】
（Ａ−３）実施形態の効果
以上のように、この実施形態によれば、以下のような効果が得られる。
【００５３】
現金入出金機１（制御部１０）は、予め設定された情報を読みよることにより、入金の際にセキュリティを重視するモード（ビルプレス４１により紙幣を把持する状態）と、紙幣を連続投入可能なモード（ビルプレス４１が退避した状態）の２種類のモードをとることができる。
【００５４】
例えば、現金入出金機１（制御部１０）は、セキュリティを重視するモードの場合には、アプリケーション１１が制御することによりビルプレス４１を降下させ、顧客がビルプレス４１により紙幣が把持される入金口に紙幣を投入することにより、紙幣つまみ出しが防止できる（セキュリティが確保できる）効果が得られる。
【００５５】
また、現金入出金機１（制御部１０）は、紙幣の連続投入を許容するモードの場合には、アプリケーション１１が制御することによりビルプレス４１を退避させ、ビルプレス４１が存在しない入金口に紙幣を投入することにより、紙幣の大量投入（入金）を実現できる。さらに、鑑別部６０により鑑別（計数）した紙幣を直接リジェクトカセット８０に収納することにより連続入金処理を実現できる（エスクロ部７０に収納できる紙幣の枚数には限度があるため）。
【００５６】
そして、顧客が紙幣を投入している最中に、リジェクトが発生したとしても、シャッタを開けたままの状態で、出金紙幣飛び出し防止押え部５２により紙幣が出金口に集積されるため、集積されたリジェクト紙幣を素早く入金部４０に再投入できる。
【００５７】
（Ｂ）他の実施形態
上述した各実施形態においても種々の変形実施形態を言及したが、以下の変形実施形態にも適用できる。
【００５８】
上記の実施形態では、本発明の現金処理装置を銀行営業店向け現金入出金機に適用する例について説明したが、これに限らず、例えば、流通市場向け入出金機、入金機等の種々様々な装置に適用することができる。
【符号の説明】
【００５９】
１…現金入出金機、１０…制御部、１１…アプリケーション、１２…ビルプレス制御ＡＰＩ、１３…ビルプレス制御部、２０…記憶部、３０…操作表示制御部、４０…入金部、４１…ビルプレス、４２…繰出し機構、５０(５０−１、５０−１)…出金部、５１…シャッタ、５２…出金紙幣飛び出し防止押え部、６０…鑑別部、７０…エスクロ部、８０…リジェクトカセット、９０(９０−１〜９０−４)…紙幣カセット、１００…搬送部。
【図１】
2018132872.tif 000003
【図２】
2018132872.tif 000004
【図３】
2018132872.tif 000005
【図４】
2018132872.tif 000006
【図５】
2018132872.tif 000007
【図６】
2018132872.tif 000008
【図７】
2018132872.tif 000009